(57)【特許請求の範囲】
【請求項１】
ワイヤレス通信において制御データを復調するための方法であって、
デバイスにおいて、アクセスポイントから複数の直交周波数分割多重（ＯＦＤＭ）シンボルを備える信号を受信すること、ここにおいて、各シンボルは少なくとも１つの制御データリソースを含み、ここにおいて、前記少なくとも１つの制御データリソースは複数のデバイスに関連し、ここで、前記複数のデバイスの各々のデバイスは、前記シンボルの前記少なくとも１つの制御データリソース内の、割り当てられたレイヤと割り当てられた変調方式の異なる組み合わせを有し、ここにおいて、前記割り当てられたレイヤと前記割り当てられた変調方式の前記組み合わせは、各デバイスからのフィードバックに基づいて前記複数のデバイスの各デバイスに対して割り当てられる、と、
前記少なくとも１つの制御データリソースが重複する制御データを含むかどうかを決定することと、
前記決定に少なくとも部分的に基づいて前記少なくとも１つの制御データリソースを変調するために利用された複数の変調方式のうちの１つを決定することと、
前記デバイスのための制御データの変調に関連するレイヤを決定すること、ここにおいて、前記レイヤを決定することは、前記少なくとも１つの制御データリソースが重複する制御データを含むかどうかを決定することに少なくとも部分的に基づく、と、
前記少なくとも１つの制御データリソース中で制御データを取得するために、前記複数の変調方式のうちの前記１つと前記レイヤとに従って前記信号を復調することと、
ここにおいて、前記信号を前記復調することは、前記少なくとも１つの制御データリソースが重複する制御データを含むと決定するとき、前記複数の変調方式のより高位の変調方式を使用することをさらに備える、
を備える、方法。
【請求項２】
前記少なくとも１つの制御データリソースが重複する制御データを含むかどうか、を決定することは、前記少なくとも１つの制御データリソースが重複する制御データを含むかどうかを指定するインジケーションを前記アクセスポイントから受信することに少なくとも部分的に基づく、または、
前記少なくとも１つの制御データリソースが重複する制御データを含むかどうか、を決定することは、前記複数の変調方式のうちの少なくとも２つを使用して前記信号のマルチプルな復調を実行することと、前記マルチプルな復調の各々に巡回冗長検査（ＣＲＣ）を適用することと、前記それぞれのＣＲＣに基づいてどの復調が前記少なくとも１つの制御データリソースを生じるかを決定することとに少なくとも部分的に基づく、請求項１に記載の方法。
【請求項３】
ワイヤレス通信において制御データを復調するための方法であって、
デバイスにおいて、アクセスポイントから複数の直交周波数分割多重（ＯＦＤＭ）シンボルを備える信号を受信すること、ここにおいて、各シンボルは少なくとも１つの制御データリソースを含み、ここにおいて、前記少なくとも１つの制御データリソースは複数のデバイスに関連し、ここで、前記複数のデバイスの各々のデバイスは、前記シンボルの前記少なくとも１つの制御データリソース内の、割り当てられたレイヤと割り当てられた変調方式の異なる組み合わせを有し、ここにおいて、前記割り当てられたレイヤと前記割り当てられた変調方式の前記組み合わせは、各デバイスからのフィードバックに基づいて前記複数のデバイスの各デバイスに対して割り当てられる、と、
前記少なくとも１つの制御データリソースが重複する制御データを含むかどうかを決定することと、
前記決定に少なくとも部分的に基づいて前記少なくとも１つの制御データリソースを変調するために利用された複数の変調方式のうちの１つを決定することと、
前記デバイスのための制御データの変調に関連するレイヤを決定すること、ここにおいて、前記レイヤを決定することが、前記レイヤをエンハンスメントレイヤとして決定することを備え、前記信号を復調することが、前記エンハンスメントレイヤに対応する前記少なくとも１つの制御データリソースの最後の２ビットを取得することを備える、と、
前記少なくとも１つの制御データリソース中で制御データを取得するために、前記複数の変調方式のうちの前記１つと前記レイヤとに従って前記信号を復調することと、
ここにおいて、前記信号を前記復調することは、前記少なくとも１つの制御データリソースが重複する制御データを含むと決定するとき、前記複数の変調方式のより高位の変調方式を使用することをさらに備える、
を備える、方法。
【請求項４】
前記レイヤを前記エンハンスメントレイヤとして決定することは、前記少なくとも１つの制御データリソースが重複する制御データを含むかどうか、を決定することに少なくとも部分的に基づく、または、
前記レイヤを前記エンハンスメントレイヤとして決定することは、前記アクセスポイントに報告されるチャネルフィードバックがしきい値に達する、と決定することに少なくとも部分的に基づく、請求項３に記載の方法。
【請求項５】
ワイヤレス通信において制御データを復調するための方法であって、
デバイスにおいて、アクセスポイントから複数の直交周波数分割多重（ＯＦＤＭ）シンボルを備える信号を受信すること、ここにおいて、各シンボルは少なくとも１つの制御データリソースを含み、ここにおいて、前記少なくとも１つの制御データリソースは複数のデバイスに関連し、ここで、前記複数のデバイスの各々のデバイスは、前記シンボルの前記少なくとも１つの制御データリソース内の、割り当てられたレイヤと割り当てられた変調方式の異なる組み合わせを有し、ここにおいて、前記割り当てられたレイヤと前記割り当てられた変調方式の前記組み合わせは、各デバイスからのフィードバックに基づいて前記複数のデバイスの各デバイスに対して割り当てられる、と、
前記少なくとも１つの制御データリソースが重複する制御データを含むかどうかを決定することと、
前記決定に少なくとも部分的に基づいて前記少なくとも１つの制御データリソースを変調するために利用された複数の変調方式のうちの１つを決定することと、
前記デバイスのための制御データの変調に関連するレイヤを決定すること、ここにおいて、前記レイヤを決定することは、前記少なくとも１つの制御データリソースが重複する制御データを含まないと決定することに少なくとも部分的に基づいて、前記レイヤをベースレイヤまたはエンハンスメントレイヤのいずれかとして決定することを備える、と、
前記少なくとも１つの制御データリソース中で制御データを取得するために、前記複数の変調方式のうちの前記１つと前記レイヤとに従って前記信号を復調することと、
ここにおいて、前記信号を前記復調することは、前記少なくとも１つの制御データリソースが重複する制御データを含むと決定するとき、前記複数の変調方式のより高位の変調方式を使用することをさらに備える、
を備える、方法。
【請求項６】
ワイヤレス通信において制御データを復調するための方法であって、
デバイスにおいて、アクセスポイントから複数の直交周波数分割多重（ＯＦＤＭ）シンボルを備える信号を受信すること、ここにおいて、各シンボルは少なくとも１つの制御データリソースを含み、ここにおいて、前記少なくとも１つの制御データリソースは複数のデバイスに関連し、ここで、前記複数のデバイスの各々のデバイスは、前記シンボルの前記少なくとも１つの制御データリソース内の、割り当てられたレイヤと割り当てられた変調方式の異なる組み合わせを有し、ここにおいて、前記割り当てられたレイヤと前記割り当てられた変調方式の前記組み合わせは、各デバイスからのフィードバックに基づいて前記複数のデバイスの各デバイスに対して割り当てられる、と、
前記少なくとも１つの制御データリソースが重複する制御データを含むかどうかを決定することと、
前記決定に少なくとも部分的に基づいて前記少なくとも１つの制御データリソースを変調するために利用された複数の変調方式のうちの１つを決定することと、
前記デバイスのための制御データの変調に関連するレイヤを決定することと、
前記少なくとも１つの制御データリソース中で制御データを取得するために、前記複数の変調方式のうちの前記１つと前記レイヤとに従って前記信号を復調することと、
ここにおいて、前記信号を前記復調することは、前記少なくとも１つの制御データリソースが重複する制御データを含むと決定するとき、前記複数の変調方式のより高位の変調方式を使用することをさらに備える、
前記レイヤに少なくとも部分的に基づいて、前記アクセスポイントに制御データを送信するための１つまたは複数のリソースを決定することと、
を備える、方法。
【請求項７】
ワイヤレス通信において制御データを復調するための方法であって、
デバイスにおいて、アクセスポイントから複数の直交周波数分割多重（ＯＦＤＭ）シンボルを備える信号を受信すること、ここにおいて、各シンボルは少なくとも１つの制御データリソースを含み、ここにおいて、前記少なくとも１つの制御データリソースは複数のデバイスに関連し、ここで、前記複数のデバイスの各々のデバイスは、前記シンボルの前記少なくとも１つの制御データリソース内の、割り当てられたレイヤと割り当てられた変調方式の異なる組み合わせを有し、ここにおいて、前記割り当てられたレイヤと前記割り当てられた変調方式の前記組み合わせは、各デバイスからのフィードバックに基づいて前記複数のデバイスの各デバイスに対して割り当てられる、と、
前記少なくとも１つの制御データリソースが重複する制御データを含むかどうかを決定することと、
前記決定に少なくとも部分的に基づいて前記少なくとも１つの制御データリソースを変調するために利用された複数の変調方式のうちの１つを決定することと、
前記デバイスのための制御データの変調に関連するレイヤを決定することと、
前記少なくとも１つの制御データリソース中で制御データを取得するために、前記複数の変調方式のうちの前記１つと前記レイヤとに従って前記信号を復調することと、
ここにおいて、前記信号を前記復調することは、前記少なくとも１つの制御データリソースが重複する制御データを含むと決定するとき、前記複数の変調方式のより高位の変調方式を使用することをさらに備える、
前記レイヤに少なくとも部分的に基づいて、前記少なくとも１つの制御データリソースに対応する制御チャネルのためのサーチスペースを決定することと、
を備える、方法。
【請求項８】
ワイヤレス通信において制御データを復調するための装置であって、
請求項１〜請求項７のうちのいずれか一項に記載の方法を実行するように構成された受信コンポーネントと変調決定コンポーネントとを備える、装置。
【請求項９】
ワイヤレス通信において制御データを変調するための方法であって、
制御データを通信するための制御データリソースを割り当てる複数のデバイスを決定することと、ここにおいて、前記複数のデバイスは第１のデバイスおよび第２のデバイスを含み、前記複数のデバイスは、同様の制御データリソースの少なくとも一部分を割り当てられ、ここで前記第１のデバイスおよび前記第２のデバイスは各々、直交周波数分割多重（ＯＦＤＭ）シンボルの同様の制御データリソースの前記一部分内の、割り当てられたレイヤと割り当てられた変調方式の異なる組み合わせを有し、および、前記割り当てられたレイヤと前記割り当てられた変調方式の前記組み合わせは、前記第１のデバイス及び前記第２のデバイスからのフィードバックに基づいて各デバイスに対して割り当てられる、と、
前記制御データリソースが前記制御データリソース上で重複する前記第２のデバイスのための第２の制御データを含むとき、複数の変調方式のより高次の変調方式を使用して、前記制御データリソースのエンハンスメントレイヤ中で前記第１のデバイスのための第１の制御データを変調することと、
前記制御データリソース上で変調された少なくとも前記第１の制御データを送信することと
を備える、方法。
【請求項１０】
前記制御データリソースの前記エンハンスメントレイヤ中で前記第１のデバイスのための前記第１の制御データを変調することは、前記制御データリソースが前記第２のデバイスのための前記第２の制御データを含むかどうかに関係しない、請求項９に記載の方法。
【請求項１１】
前記制御データリソースのベースレイヤ中で前記第２のデバイスのための前記第２の制御データを変調することと、
前記ベースレイヤと前記エンハンスメントレイヤとを重ね合わせることによって前記制御データリソースのマルチプルレイヤ変調を実行することと、
前記制御データリソースの前記マルチプルレイヤ変調において前記第１の制御データとともに前記第２の制御データを送信することと
をさらに備え、オプションにより、
前記第１の制御データを変調することが１６直交振幅変調に基づき、前記第２の制御データを変調することが４位相シフトキーイングに基づく、または、
前記第１のデバイスと前記第２のデバイスとからの報告されたチャネルフィードバックに少なくとも部分的に基づいて前記制御データリソース中で前記第１の制御データと前記第２の制御データとを通信するために前記第１のデバイスと前記第２のデバイスとをグループ化すると決定することをさらに備える、請求項９に記載の方法。
【請求項１２】
前記制御データリソースのベースレイヤ中で前記第１のデバイスのための第３の制御データを変調すること、
前記ベースレイヤと前記エンハンスメントレイヤとを重ね合わせることによって前記制御データリソースのマルチプルレイヤ変調を実行すること、および、
前記制御データリソースの前記マルチプルレイヤ変調において前記第１の制御データとともに前記第３の制御データを送信すること、または、
前記制御データリソースがマルチプルなデバイスのための重複された制御データを含むかどうかのインジケーションを前記第１のデバイスに送信すること、または、
前記エンハンスメントレイヤ中で前記第１のデバイスのための前記第１の制御データを変調することに少なくとも部分的に基づいて決定されたリソース中で、前記第１のデバイスからアップリンク制御データを受信すること、または、
前記エンハンスメントレイヤ中で前記第１のデバイスのための前記第１の制御データを変調することに少なくとも部分的に基づいて定義されたサーチスペース中で、前記第１の制御データを送信すること、
をさらに備える、請求項９に記載の方法。
【請求項１３】
ワイヤレス通信において制御データを変調するための装置であって、
請求項９〜請求項１２のうちのいずれか一項に記載の方法を実行するように構成された送信コンポーネントと、
変調コンポーネントと
を備える、装置。
【請求項１４】
請求項１〜請求項７および請求項９〜請求項１２のうちのいずれか一項に記載の方法を実行するためのコンピュータ実行可能命令を記憶したコンピュータ可読記憶媒体。
【発明の詳細な説明】
【技術分野】
【０００１】
米国特許法第１１９条に基づく優先権の主張
[0001]本特許出願は、本出願の譲受人に譲渡され、参照により本明細書に明確に組み込まれる、２０１４年５月２日に出願された「Apparatus and Method for Improving Control Channel Capacity」と題する仮出願第６１／９８７，８６７号の優先権を主張する。
【背景技術】
【０００２】
[0002]ワイヤレス通信システムは、音声、データなど、様々なタイプの通信コンテンツを提供するために広く展開されている。これらのシステムは、利用可能なシステムリソース（たとえば、帯域幅および送信電力）を共有することによってマルチプルなユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、３ＧＰＰ（登録商標）ロングタームエボリューション（ＬＴＥ（登録商標）：Long Term Evolution）システム、および直交周波数分割多元接続（ＯＦＤＭＡ）システムがある。
【０００３】
[0003]概して、ワイヤレス多元接続通信システムは、マルチプルなユーザ機器デバイス（ＵＥ）のための通信を同時にサポートすることができる。各ＵＥは、順方向リンクおよび逆方向リンク上での伝送によって１つまたは複数の基地局と通信する。順方向リンク（またはダウンリンク）は、基地局からＵＥへの通信リンクを指し、逆方向リンク（またはアップリンク）は、ＵＥから基地局への通信リンクを指す。この通信リンクは、単入力単出力、多入力単出力または多入力多出力（ＭＩＭＯ：multiple-in-multiple-out）システムを介して確立され得る。
【０００４】
[0004]一例では、基地局は、ＵＥに制御データを送信すること、および／またはＵＥから制御データを受信することを行うためにいくつかのリソースを割り振ることができる。いくつかの実装形態では、制御データリソースは、ユーザプレーンデータリソースの一部として割り振られる。たとえば、ＬＴＥでは、基地局は、たとえば、制御データを通信するためのサブフレーム中の１〜３つのＯＦＤＭシンボルを予約することができる。予約すべきＯＦＤＭシンボルの数は、基地局によってサービスされるＵＥの数に少なくとも部分的に基づくことができる。制御データを通信するためのサブフレーム中で予約されるＯＦＤＭシンボルが多いほど、ユーザプレーンデータのために利用可能なサブフレーム中のＯＦＤＭシンボルの数は少なくなり、それは、基地局におけるユーザプレーンデータスループットに対してより大きい影響を及ぼすことがある。
【発明の概要】
【０００５】
[0005]以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００６】
[0006]一例によれば、ワイヤレス通信において制御データを復調するための方法が提供される。本方法は、デバイスにおいて、アクセスポイントから少なくとも１つの制御データリソースを備える信号を受信することと、信号中の少なくとも１つの制御データリソースを変調するために利用される複数の変調方式のうちの１つを決定することと、デバイスのための制御データの変調に関連するレイヤを決定することと、少なくとも１つの制御データリソース中で制御データを取得するために、複数の変調方式のうちの１つとレイヤとに従って信号を復調することとを含む。
【０００７】
[0007]別の例では、ワイヤレス通信において制御データを復調するための装置が提供される。本装置は、デバイスにおいて、アクセスポイントから少なくとも１つの制御データリソースを備える信号を受信するように構成された受信コンポーネントと、信号中の少なくとも１つの制御データリソースを変調するために利用される複数の変調方式のうちの１つを決定することと、デバイスのための制御データの変調に関連するレイヤを決定することとを行うように構成された変調決定コンポーネントと、少なくとも１つの制御データリソース中で制御データを取得するために、複数の変調方式のうちの１つとレイヤとに従って信号を復調するように構成された復調コンポーネントとを含む。
【０００８】
[0008]また別の例では、ワイヤレス通信において制御データを変調するための方法が提供される。本方法は、制御データリソースが第２のデバイスのための第２の制御データを含むかどうかに少なくとも部分的に基づいて、制御データリソースのエンハンスメントレイヤ中で第１のデバイスのための第１の制御データを変調することと、制御データリソース上で変調された少なくとも第１の制御データを送信することとを含む。
【０００９】
[0009]別の例では、ワイヤレス通信において制御データを変調するための装置が提供される。本装置は、制御データリソースが第２のデバイスのための第２の制御データを含むかどうかに少なくとも部分的に基づいて、制御データリソースのエンハンスメントレイヤ中で第１のデバイスのための第１の制御データを変調するように構成された変調コンポーネントと、制御データリソース上で変調された少なくとも第１の制御データを送信するように構成された送信コンポーネントとを含む。
【００１０】
[0010]上記および関係する目的を達成するために、１つまたは複数の態様は、以下で十分に説明し、特に特許請求の範囲で指摘する特徴を備える。以下の説明および添付の図面に、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００１１】
[0011]開示する態様について、開示する態様を限定するためにではなく、例示するために与える、添付の図面とともに以下で説明し、同様の表示は同様の要素を示す。
【図面の簡単な説明】
【００１２】
【図１】[0012]同様の制御リソース上でマルチプルなデバイスのための制御データを変調するための例示的なシステムを示す図。
【図２】[0013]制御データリソースを使用してマルチプルなデバイスのための制御データを変調するための例示的なシステムを示す図。
【図３】[0014]マルチプルなデバイスのための制御データを変調するための変調方式の例示的なグラフィカル表現を示す図。
【図４Ａ】[0015]制御データを決定するために、受信された信号を復調するための例示的な方法を示す図。
【図４Ｂ】制御データを決定するために、受信された信号を復調するための例示的な方法を示す図。
【図５】[0016]制御データリソース中でマルチプルなデバイスのための制御データを変調するための例示的な方法を示す図。
【図６】[0017]様々な制御データリソースを変調するための例示的な方法を示す図。
【図７】[0018]一実施形態による多元接続ワイヤレス通信システムを示す図。
【図８】[0019]通信システムのブロック図。
【発明を実施するための形態】
【００１３】
[0020]次に、図面を参照しながら様々な態様について説明する。以下の説明では、説明のために、１つまたは複数の態様の完全な理解を与えるために多数の具体的な詳細を記載する。ただし、そのような（１つまたは複数の）態様は、これらの具体的な詳細なしに実施され得ることは明らかであろう。
【００１４】
[0021]ワイヤレス通信において制御チャネル容量を増加させることを容易にすることに関係する様々な態様について本明細書で説明する。たとえば、基地局は、制御データリソースのためのマルチプルレイヤ変調（multiple layer modulation）を使用することによって、様々なデバイスに制御データを通信することができる。たとえば、マルチプルレイヤ変調は、複数のレイヤ（たとえば、ベースレイヤ、および１つまたは複数のエンハンスメントレイヤ）を含むことができ、ただし、各レイヤは、制御データリソース中で送信するための制御データの変調に対応する。複数のレイヤは、マルチプルレイヤ変調を生成するために重ね合わせられ（superpositioned）得る。したがって、本明細書で使用する「レイヤ」または「変調レイヤ」という用語は、制御データのマルチプルレイヤ変調を生成するために１つまたは複数の他のレイヤと重ね合わせられ得る制御データの変調を指すことがある。この点について、複数のレイヤの各レイヤは、制御データリソース上で異なるデバイスのための制御データを搬送するために使用され得、それにより、制御データリソース使用が低くなり得る。一例では、制御データリソースの少なくとも一部分のためのマルチプルレイヤ変調において異なる変調方式が利用され得る。
【００１５】
[0022]特定の一例では、基地局は、基地局への強い信号を有するデバイスを、弱い信号を有する別のデバイスとペアリングすることができ、マルチプルレイヤ変調を使用することによって、弱い信号を有するデバイスに他の制御データを通信するために利用される制御リソース中で、強い信号をもつデバイスのための制御データの少なくとも一部分を多重化することができる。別の例では、基地局は、マルチプルレイヤ変調を使用することによって同様のリソース上でそれに制御データを通信するために、基地局への強い信号を有する２つのデバイスをペアリングすることができる。この例では、基地局は、マルチプルなレイヤにわたって両方のデバイスのための制御データを扱うのに十分なビットを通信することを可能にする１つまたは複数の変調方式を使用して、デバイスのための制御データを多重化することができる。制御データリソース上でマルチプルなデバイスのための制御データを多重化することによって、リソースの容量が増加される。たとえば、制御データシンボルが、たとえばユーザプレーンデータを送信するために使用される同じサブフレーム中で予約される、ＬＴＥなどのシステムでは、これにより、制御データを送信するために予約される制御データシンボルが少なくなり、したがって、ユーザプレーンデータのための容量が増加し得る。
【００１６】
[0023]本出願で使用する「コンポーネント」、「モジュール」、「システム」などの用語は、これらに限定するものではないが、ハードウェア、ソフトウェア／ファームウェア、ハードウェアとソフトウェア／ファームウェアとの組合せ、または実行中のソフトウェア／ファームウェアなど、コンピュータ関連のエンティティを含むものとする。たとえば、コンポーネントは、これらに限定するものではないが、プロセッサ上で実行されるプロセス、プロセッサ、オブジェクト、実行ファイル、実行スレッド、プログラム、および／またはコンピュータであり得る。例として、コンピューティングデバイス上で実行されるアプリケーションと、そのコンピューティングデバイスの両方がコンポーネントであり得る。１つまたは複数のコンポーネントがプロセスおよび／または実行スレッド内に常駐することができ、１つのコンポーネントを１つのコンピュータ上に配置し、および／または２つ以上のコンピュータ間に分散することができる。さらに、これらのコンポーネントは、様々なデータ構造を記憶している様々なコンピュータ可読媒体から実行することができる。これらのコンポーネントは、ローカルシステム、分散型システム、および／または他のシステムを用いるインターネットなどのネットワーク中の別のコンポーネントと信号を介して対話する１つのコンポーネントからのデータなど、１つまたは複数のデータパケットを有する信号によるなどのローカルプロセスおよび／またはリモートプロセスを介して通信することができる。
【００１７】
[0024]さらに、本明細書では、ワイヤード端末またはワイヤレス端末であり得る端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、ユーザ機器、またはユーザ機器デバイスと呼ばれることもある。ワイヤレス端末は、セルラー電話（たとえば、スマートフォン）、衛星電話、コードレス電話、タブレット、ネットブック、スマートブック、ウルトラブック、セッション開始プロトコル（ＳＩＰ）フォン、ワイヤレスローカルループ（ＷＬＬ）局、携帯情報端末（ＰＤＡ）、ワイヤレス接続能力を有するハンドヘルドデバイス、ゲームデバイス、ナビゲーションデバイス、コンピューティングデバイス、ロボット、ドローン、ウェアラブルデバイス（たとえば、スマートウォッチ、スマートブレスレットまたは他のスマートジュエリー、スマート衣類（smart clothing））、ワイヤレスモデムに結合された他の処理デバイスなどであり得る。さらに、本明細書では基地局に関する様々な態様について説明する。基地局は、（１つまたは複数の）ワイヤレス端末と通信するために利用され得、アクセスポイント、アクセスノード、ノードＢ、発展型ノードＢ（ｅＮＢ）、または何らかの他の用語で呼ばれることもある。
【００１８】
[0025]さらに、「または」という用語は、排他的な「または」ではなく、包括的な「または」を意味するものとする。すなわち、別段に規定されていない限り、または文脈から明らかでない限り、「ＸはＡまたはＢを採用する」という句は、自然包括的並べ替えのいずれかを意味するものとする。すなわち、「ＸはＡまたはＢを使用する」という句は、ＸがＡを使用する場合、ＸがＢを使用する場合、またはＸがＡとＢの両方を使用する場合のいずれによっても満たされる。さらに、本出願と添付の特許請求の範囲とで使用する冠詞「ａ」および「ａｎ」は、別段に規定されていない限り、または単数形を対象とすることが文脈から明らかでない限り、概して「１つまたは複数」を意味するものと解釈されるべきである。
【００１９】
[0026]本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムのために使用され得る。「システム」および「ネットワーク」という用語は、しばしば互換的に使用される。ＣＤＭＡシステムは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（Ｗ−ＣＤＭＡ（登録商標））およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、モバイル通信用グローバルシステム（ＧＳＭ（登録商標）：Global System for Mobile Communications）などの無線技術を実装し得る。ＯＦＤＭＡシステムは、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）は、Ｅ−ＵＴＲＡを使用するＵＭＴＳのリリースであり、これは、ダウンリンク上ではＯＦＤＭＡを採用し、アップリンク上ではＳＣ−ＦＤＭＡを採用する。ＵＴＲＡ、Ｅ−ＵＴＲＡ、ＵＭＴＳ、ＬＴＥおよびＧＳＭは、「第３世代パートナーシッププロジェクト」（３ＧＰＰ：3rd Generation Partnership Project）と称する団体からの文書に記載されている。さらに、ｃｄｍａ２０００およびＵＭＢは、「第３世代パートナーシッププロジェクト２」（３ＧＰＰ２：3rd Generation Partnership Project 2）と称する団体からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【００２０】
[0027]様々な態様または特徴が、いくつかのデバイス、コンポーネント、モジュールなどを含むことができるシステムに関して提示される。様々なシステムは、追加のデバイス、コンポーネント、モジュールなどを含むことができ、および／または各図に関連して論じるデバイス、コンポーネント、モジュールなどのすべてを含まない場合があることを理解および諒解されたい。これらの手法の組合せもまた使用され得る。
【００２１】
[0028]図１を参照すると、制御データを通信することを容易にするワイヤレス通信システム１００が示されている。システム１００は、デバイス１０４および／または１０６など、１つまたは複数のデバイスにワイヤレスネットワークアクセスを提供するアクセスポイント１０２を含むことができる。アクセスポイント１０２は、マクロセル、スモールセル、または同様の基地局、モバイル基地局、Ｗｉ−Ｆｉホットスポット、（たとえば、ピアツーピアまたはアドホックモードで通信する）デバイス、それらの一部分など、実質的に任意のアクセスポイントであり得、デバイス１０４および／または１０６にネットワークアクセスを与えるために、１つまたは複数のコアネットワークコンポーネント（図示せず）とも通信することができる。本明細書で使用する「スモールセル」という用語は、アクセスポイントまたはアクセスポイントの対応するカバレージエリアを指すことがあり、ここで、この場合のアクセスポイントは、たとえば、マクロネットワークアクセスポイントまたはマクロセルの送信電力あるいはカバレージエリアと比較して、比較的低い送信電力あるいは比較的小さいカバレージを有する。たとえば、マクロセルは、これらに限定するものではないが、半径数キロメートルなど、比較的大きい地理的エリアをカバーし得る。対照的に、スモールセルは、これらに限定するものではないが、自宅、建物、または建物のフロアなど、比較的小さい地理的エリアをカバーし得る。したがって、スモールセルは、これらに限定するものではないが、ＢＳ、アクセスポイント、フェムトノード、フェムトセル、ピコノード、マイクロノード、ノードＢ、ｅＮＢ、ホームノードＢ（ＨＮＢ：home Node B）またはホーム発展型ノードＢ（ＨｅＮＢ：home evolved Node B）など、装置を含み得る。したがって、本明細書で使用する「スモールセル」という用語は、マクロセルと比較して比較的低い送信電力および／または比較的小さいカバレージエリアセルを指す。デバイス１０４および１０６は、それぞれ、ＵＥまたは他のモバイルデバイス、モデム（または他のテザーデバイス）、それらの一部分などであり得る。
【００２２】
[0029]一例によれば、アクセスポイント１０２は、本明細書でさらに説明するようにデバイス１０４および／または１０６と通信するために、デバイス１０４および／または１０６との１つまたは複数の論理チャネルを確立することができる。たとえば、論理チャネルは、アップリンクまたはダウンリンクリソース上で制御データ、ユーザプレーンデータなどを通信することに関することができ、１つまたは複数の周波数および／または時間リソースによって定義され得る。一例では、アクセスポイント１０２は、ＯＦＤＭを使用してデバイス１０４および／または１０６と通信することができ、したがって、チャネルは、通信フレーム中で、１つまたは複数のＯＦＤＭシンボルまたはそれの部分に相関することができる。この例では、１つまたは複数のＯＦＤＭシンボル中でアクセスポイント１０２から通信されるべきデータは、１つまたは複数の変調方式を使用して変調され、デバイス１０４および１０６において受信され得る信号として送信され得る。デバイス１０４および／または１０６は、次いで、関係するデータを処理するためのＯＦＤＭシンボルの推定値を取得するために、たとえば、変調方式を使用して信号を復調すること（または、たとえば、それの逆（reverse））を行うことができる。しかしながら、送信されるべき制御データが多いほど、制御データを送信するためにより多くのＯＦＤＭシンボルが使用されるべきであり、それは、いくつかのワイヤレスシステムにおけるユーザプレーンデータスループットに影響を及ぼすことがある。
【００２３】
[0030]したがって、一例では、アクセスポイント１０２は、デバイス１０４とデバイス１０６の両方に制御データを通信するために同様の制御データリソース１０８の少なくとも一部分を利用することができる。たとえば、アクセスポイント１０２は、同様のリソース１０８上で制御データを受信するために、デバイスをペアリングするか、または何らかの形でグループ化することができる。たとえば、制御データリソースは、ＬＴＥにおいて物理ダウンリンク制御チャネル（ＰＤＣＣＨ：physical downlink control channel）および／または拡張ＰＤＣＣＨ（ｅＰＤＣＣＨ：enhanced PDCCH）通信のための制御チャネル要素（ＣＣＥ：control channel element）、拡張ＣＣＥ（ｅＣＣＥ：enhanced CCE）、あるいは制御データを備える信号の同様の部分などを含み得る。アクセスポイント１０２は、一例では、マルチプルレイヤ変調のためにマルチプルなレイヤを与えるために、同様のリソース１０８の多重変調（multiple modulations）を実行することができ、ただし、各レイヤはデバイス１０４または１０６のための制御データを含むことができる。さらに、一例では、アクセスポイント１０２は、同様のリソース１０８上でマルチプルなレイヤの各々について異なる変調方式を利用し得る。いずれの場合も、アクセスポイント１０２は、デバイス１０４および／または１０６によって処理され得る追加情報（たとえば、追加のデータビット）の通信を容易にすることにおいてマルチプルレイヤ変調を行うために、変調されたシンボルを重ね合わせる（superposition）ことができる。
【００２４】
[0031]特定の一例では、本明細書でさらに説明するように、アクセスポイント１０２は、デバイス１０４とデバイス１０６とを、該デバイスによって報告されたフィードバックに少なくとも部分的に基づいてペアリングすることができる。一例では、アクセスポイント１０２は、しきい値レベルを上回るフィードバックを報告するデバイス１０４を、別のしきい値レベルを下回るフィードバックを報告するデバイス１０６とペアリングすることができる（たとえば、デバイス１０４が強い信号品質またはチャネル状態条件を経験し、デバイス１０６がアクセスポイント１０２との弱い信号品質またはチャネル状態条件を経験する）。別の例では、本明細書でさらに説明するように、デバイス１０４および１０６は両方とも、しきい値レベルを上回るチャネル条件などを報告することができる。この点について制御データを通信するために同様のリソース１０８を使用することは、たとえば、制御チャネル容量を増加させることができ、それは、ＯＦＤＭシンボルを温存し、したがって、ユーザプレーンデータを通信するために追加のＯＦＤＭシンボルを残すことができる。これは、ユーザプレーンデータについての性能を改善することができるだけでなく、アクセスポイント１０２がより多くのデバイスと通信することを可能にすることもできる。
【００２５】
[0032]次に図２を参照すると、同様のリソース上でマルチプルなデバイスのための制御データを多重化することを容易にする例示的なワイヤレス通信システム２００が示されている。システム２００は、デバイス１０４および／または１０６など、１つまたは複数のデバイスにワイヤレスネットワークアクセスを与えるアクセスポイント１０２を含むことができる。アクセスポイント１０２は、マクロセル、スモールセル、モバイル基地局などであり得、デバイス１０４および１０６は、それぞれ、ＵＥ、モデムなどであり得る。
【００２６】
[0033]アクセスポイント１０２は、複数のデバイスを対象とする制御データを多重化するためにそれら複数のデバイスを関連付けるためのデバイスグループ化コンポーネント２０８と、１つまたは複数の変調方式に従ってデバイスのための制御データを変調および／または多重化するための変調コンポーネント２１０と、変調された制御データを含む信号を通信するための送信コンポーネント２１２とを含むことができる。アクセスポイント１０２は、オプションにより、制御データがデバイスのために（たとえば、マルチプルレイヤ変調を使用して）その上で重複される１つまたは複数のリソースを示すための重複リソースシグナリングコンポーネント２１４、および／またはマルチプルレイヤ変調においてデバイスに割り当てられたレイヤに基づいてデバイスから制御データを受信するための制御データ受信コンポーネント２１５を含むことができる。
【００２７】
[0034]デバイス１０４は、アクセスポイントによって送信される信号または他の信号を取得するための受信コンポーネント２１６と、デバイス１０４のための制御データを符号化するためにアクセスポイントによって利用されるレイヤおよび／または関係する変調方式を決定するための変調決定コンポーネント２１８と、レイヤおよび／または変調方式に基づいて受信された信号から制御データを復調するための復調コンポーネント２２０とを含むことができる。デバイス１０４は、オプションにより、変調方式を決定するために信号に巡回冗長検査（ＣＲＣ：cyclic redundancy check）を適用することを試みるためのＣＲＣコンポーネント２２２、デバイス１０４および別のデバイスのための重複された制御データ（たとえば、マルチプルレイヤ変調を使用してマルチプルなレイヤにわたって変調された制御データ）を含むリソースのインジケーションを受信するための重複決定コンポーネント２２４、ならびに／あるいはデバイス１０４のためのレイヤおよび／または関係する変調方式に少なくとも部分的に基づいて決定されたリソース中でアクセスポイント１０２に制御データを送信するための制御データ送信コンポーネント２２５を含むことができる。デバイス１０６は、デバイス１０４と同様のコンポーネントを含むことができ、それらは説明を簡単にするために図示されていない。
【００２８】
[0035]一例によれば、デバイスグループ化コンポーネント２０８は、マルチプルレイヤ変調において複数のレイヤにわたってそれに制御データを送信するためにデバイス１０４をデバイス１０６とグループ化することを決定することができる。たとえば、デバイス１０４とデバイス１０６とをグループ化することは、デバイス１０４とデバイス１０６とから受信されたフィードバックに少なくとも部分的に基づくことができる。デバイスグループ化コンポーネント２０８は、強いデバイス（たとえば、しきい値レベルを超えるチャネルフィードバックを報告するデバイス）を弱いデバイス（たとえば、別のしきい値レベル未満のチャネルフィードバックを報告するデバイス）とグループ化することを決定することができる。別の例では、デバイスグループ化コンポーネント２０８は、強いデバイスを一緒にグループ化するか、弱いデバイスを一緒にグループ化するか、あるいは他の何らかの形で、１つまたは複数の信号中で同様の制御データリソースにより制御データを受信するための信号強度または他のパラメータに基づいてデバイスをグループ化することができる。説明の目的で、以下で説明するいくつかの例では、デバイス１０４は強いデバイスであり得、デバイス１０６は弱いデバイスであり得るが、デバイス１０６も強いデバイスであり得、ならびに／またはデバイス１０４および１０６は、信号強度にかかわらず（たとえば、および／または他のパラメータに基づいて）異なるレイヤ上でそれに制御データを通信するためにグループ化され得ることを諒解されたい。
【００２９】
[0036]この例では、変調コンポーネント２１０は、説明したように、（たとえば、それぞれ、ＰＤＣＣＨまたはｅＰＤＣＣＨのための）単一のＣＣＥまたはｅＣＣＥなどの同様の制御データリソース内でマルチプルレイヤ変調を使用してデバイス１０４および１０６のための制御データを多重化することができる。一例では、変調コンポーネント２１０は、マルチプルレイヤ変調を行うために重ね合わせられ得るデバイス１０４および１０６のための同様または異なる変調方式を使用することができる。送信コンポーネント２１２は、デバイス１０４および／または１０６の受信機（たとえば、受信コンポーネント２１６）による受信のために、変調された信号を送信することができる。デバイス１０４の受信コンポーネント２１６は、変調された信号を取得することができ、変調決定コンポーネント２１８は、デバイス１０４のための制御データを変調するためにどのレイヤおよび／または対応する変調方式がアクセスポイント１０２によって利用されるかを決定することができる。たとえば、レイヤおよび／または変調方式は、（たとえば、デバイス１０４のための制御データリソースの割当てに関係し得る、デバイス１０４へのシグナリングにおいて、など）アクセスポイント１０２によって示され得る。レイヤおよび／または変調方式を決定することに少なくとも部分的に基づいて、復調コンポーネント２２０は、処理のための関係する制御データシンボルを生じるように信号を復調することができる。
【００３０】
[0037]特定の例では、アクセスポイント１０２は、ＯＦＤＭを使用してデバイス１０４および１０６と通信することができる。したがって、たとえば、ＯＦＤＭシンボルまたはそれの部分は、（たとえば、１つまたは複数の論理通信チャネル上で）デバイス１０４および／または１０６に通信すべきデータを構築するために利用され得る。変調コンポーネント２１０はＯＦＤＭシンボルを信号に変調することができ、復調コンポーネント２２０は、ＯＦＤＭシンボルを生成するために受信された信号を復調することができる。この例では、ＯＦＤＭシンボルの一部分は、制御データを送信するために予約され得る。ＬＴＥでは、たとえば、これは、たとえば、サブフレーム中の最初の１〜３つのＯＦＤＭシンボルであり得る。アクセスポイント１０２は、たとえば、アクセスポイント１０２から特定の制御データを受信するための１つまたは複数のＯＦＤＭシンボル中で（または、たとえば、所与のサブフレーム中のＯＦＤＭシンボルの集合中で）様々なデバイスに、ＣＣＥ、ｅＣＣＥなどのいくつかの制御データリソースを割り当てることができる。ＣＣＥまたはｅＣＣＥは、本明細書で参照するように、特にＯＦＤＭシンボルの一部分（たとえば、シンボル期間中の１つまたは複数のトーン）を指すか、または、たとえば、制御データを通信するために使用される実質的に任意の時間／周波数リソースを指すことがある。
【００３１】
[0038]以前のシステム設計では、デバイスには、別個のＣＣＥが割り当てられた。しかしながら、デバイスグループ化コンポーネント２０８は、ＯＦＤＭシンボルの制御領域の容量を増加させるために、それに制御データを通信するための同様の制御データリソースの少なくとも一部分を割り当てるための複数のデバイスを決定することができる。一例では、変調コンポーネント２１０は、各レイヤにおいてマルチプルなデバイスに制御データを与えるために制御データリソースのマルチプルレイヤ変調を実行することができる。変調コンポーネント２１０が各レイヤについて異なる変調方式を選択することもしないこともあることを諒解されたい。一例では、変調コンポーネント２１０は、一般に、送信コンポーネント２１２による送信のためにＯＦＤＭシンボルを信号に変調するために、４位相シフトキーイング（ＱＰＳＫ：quadrature phase shift keying）を利用することができる。デバイスグループ化コンポーネント２０８が複数のデバイスのための制御データを通信することを決定する制御データリソースの場合、変調コンポーネント２１０は、追加または代替として、マルチプルなレイヤの各々の上で複数のデバイスのための制御データを多重化するためのマルチプルレイヤ変調を行う際に１６直交振幅変調（１６ＱＡＭ：16-quadrature amplitude modulation）または別の変調方式を利用することもできる。
【００３２】
[0039]一例では、変調コンポーネント２１０は、マルチプルレイヤ変調においてエンハンスメントレイヤにデバイス１０４を割り当てることができ、したがって、デバイス１０４のための制御データがエンハンスメントレイヤに関連するビット（たとえば、最後の２ビット）を占有するように、１６ＱＡＭを使用することによって制御データリソース中でデバイス１０４のための制御データを変調することができる。送信コンポーネント２１２は、説明したように、変調された信号を送信することができる。受信コンポーネント２１６は信号を取得することができ、変調決定コンポーネント２１８は、デバイス１０４が関連する制御データリソースのためのエンハンスメントレイヤに割り当てられることと、アクセスポイント１０２が信号を変調するために１６ＱＡＭを利用したこととを決定することができる。復調コンポーネント２２０は、エンハンスメントレイヤ中で（たとえば、最後の２ビット中で）デバイス１０４を対象とする制御データを生み出すために１６ＱＡＭを使用して、受信された信号を復調することができる。一例では、変調コンポーネント２１０はまた、ＱＰＳＫを使用してデバイス１０４のための他の制御データリソースを変調することができ、ただし、他の制御データリソースは、他のデバイスのための制御データと重複された制御データを含まない。この例では、デバイス１０４のための制御データは、ＱＰＳＫが使用される唯一のレイヤであり得るベースレイヤ（たとえば、最初の２ビット）に割り当てられる。
【００３３】
[0040]一例では、デバイス１０４は、しきい値を達成する信号強度を有するデバイスとして上記で説明したような強いデバイスであり得、デバイス１０６は、別のしきい値を達成しない信号強度を有するデバイスとして上記で説明したような弱いデバイスであり得る。この例では、変調コンポーネント２１０は、（たとえば、ＱＰＳＫを使用して）ベースレイヤにおいて、デバイス１０６に関係する制御データを変調することができ、ならびに／あるいは（たとえば、１６ＱＡＭを使用して）それぞれベースレイヤとエンハンスメントレイヤとにおいてデバイス１０６および／またはデバイス１０４のための制御データを変調することができる。たとえば、デバイスグループ化コンポーネント２０８は、デバイス１０６のための制御データがそれに割り当てられるベースレイヤとしてＱＰＳＫを使用して変調するために制御データリソースの１番目の２ビットを利用することができ、デバイス１０４のための制御データがそれに割り当てられるエンハンスメントレイヤとして１６ＱＡＭを使用して変調するために２番目の２ビットを使用し得る。変調は、本明細書で説明するように、マルチプルレイヤ変調を行うために重ね合わせられ得る。デバイス１０４および１０６のための制御データをそのように変調することはまた、本明細書では、重複する制御データと呼ばれることがある。この例では、デバイス１０６は、ＱＰＳＫを使用して信号を受信し、復調することができ、したがって、後者の１６ＱＡＭ変調された制御データリソースの２ビット（たとえば、エンハンスメントレイヤ）を使用したデバイス１０４のための制御データの追加は、デバイス１０６に対してトランスペアレントであり得、デバイス１０６は、ＱＰＳＫを使用して１番目の２ビット（たとえば、ベースレイヤ）を復調することができる。たとえば、変調コンポーネント２１０は、一例では、デバイスのための制御データが所与の制御データリソース中で重複されるかどうかにかかわらず、対応するデバイスからのフィードバックに基づいて、デバイス１０４に割り当てられたレイヤおよび／または関連する変調方式を決定することができる。別の例では、変調コンポーネント２１０は、さらに、制御データが、変調方式を決定するための制御データリソース中で重複されるかどうかを考慮することができる。
【００３４】
[0041]たとえば、変調コンポーネント２１０が（たとえば、デバイスからのチャネルフィードバックが少なくともしきい値レベルにあると決定することに基づいて）強いデバイスのために１６ＱＡＭを利用する場合、変調コンポーネント２１０は、（たとえば、制御データリソースがデバイス１０４のための制御データのみを含み、他のいかなるデバイスのための制御データをも含まない場合でも）デバイス１０４のための制御データを通信するために１６ＱＡＭ変調された制御データリソースの後者の２ビット（たとえば、エンハンスメントレイヤ）に、強いデバイス制御データをマッピングすることができる。したがって、変調決定コンポーネント２１８は、デバイス１０４に関係する制御データリソースを変調するために１６ＱＡＭが使用されることと、デバイス１０４がエンハンスメントレイヤに割り当てられることとを決定することができ、復調コンポーネント２２０は、最後の２ビットとして対応する信号から制御データを取り出すために１６ＱＡＭを使用してそれらの信号を復調することができる。一例では、強いデバイスは常にエンハンスメントレイヤにマッピングされ得、したがって、変調決定コンポーネント２１８は、デバイス１０４によって報告されたチャネルフィードバックに少なくとも部分的に基づいて、デバイス１０４がエンハンスメントレイヤにマッピングされる（および／または制御データリソースを変調するために１６ＱＡＭが利用される）と決定することができる。したがって、この例では、アクセスポイント１０２は、デバイス１０４に、それの制御データがマッピングされるレイヤを通知する必要はない。
【００３５】
[0042]別の例では、変調コンポーネント２１０は、重複する制御データを有する制御データリソースのために１６ＱＡＭを含むマルチプルレイヤ変調を利用し得るが、重複する制御データを有しない制御データリソースのためにＱＰＳＫ変調を使用することもできる。この例では、変調決定コンポーネント２１８は、制御データリソースが重複された制御データを含むかどうかを決定することができ、復調コンポーネント２２０は、したがって、１６ＱＡＭを使用してこれらの制御データリソースを復調し、上記で説明したように、エンハンスメントレイヤからデバイス１０４のための制御データを取得することができ、ＱＰＳＫを使用して重複された制御データを含まない他の制御データリソースを復調することができる。たとえば、変調決定コンポーネント２１８は、いくつかの方法で、どの制御データリソースが重複された制御データを有するかを決定し、したがって、制御データを復調するために１６ＱＡＭを使用すべきなのかＱＰＳＫを使用すべきなのかを決定することができる。一例では、変調決定コンポーネント２１８は、ＱＰＳＫと１６ＱＡＭとを使用して制御データリソースをブラインドで（blindly）復調するために復調コンポーネント２２０を利用することができ、得られるシンボルに少なくとも部分的に基づいて（たとえば、シンボル内のトーンを評価することに基づいて）どの復調が正しいかを決定することができる。たとえば、これは、復調によって生成されたランダムシーケンスに少なくとも部分的に基づいてどの変調が正しいかを決定することを含むことができる。いずれの場合も、変調決定コンポーネント２１８が、制御データリソースを復調する際に１６ＱＡＭが使用されるべきであると決定した場合、復調コンポーネント２２０は、説明したように、１６ＱＡＭを使用して制御データリソースを復調することができ、デバイス１０４のための制御データをそれに関連するエンハンスメントレイヤから取得することができる。
【００３６】
[0043]どの制御データリソースが重複された制御データを有する（たとえば、したがって、変調のために１６ＱＡＭを使用する）かを決定するための別の例では、ＣＲＣコンポーネント２２２は、どちらがＣＲＣの成功を生じるかを決定するために、制御データリソースの一部分のＱＰＳＫ復調によってＣＲＣを実行し、制御データリソースの一部分の１６ＱＡＭ復調によってＣＲＣを実行することができる。制御データリソースの一部分は、本明細書で説明するように、第１のＣＣＥ／ｅＣＣＥおよび／または第２のＣＣＥ／ｅＣＣＥを含むことができる。この例では、変調コンポーネント２１０は、受信および復調される信号の完全性を検証するためにＣＲＣコンポーネント２２２が利用することができるＣＲＣ情報を送信信号に追加していることがある。たとえば、ＣＲＣのうちの１つがパスした場合、制御データリソースの一部分を復調するために利用された関連する変調方式が正しい変調方式であるという高い確率があり得る。たとえば、ＣＲＣコンポーネント２２２は、正しい変調方式を決定するために、デバイス１０４に割り当てられた各制御データリソースについてＣＲＣを実行することができる。また別の例では、重複リソースシグナリングコンポーネント２１４は、（たとえば、変調方式に対応するシングルまたはマルチプルビットインジケータとして）追加の制御データリソース中で変調コンポーネント２１０によって利用される変調方式をシグナリングすることができる。重複決定コンポーネント２２４は、制御データリソースを受信し、したがって、制御データリソースの適切な復調を実行するように制御データリソースの各部分を変調する際に利用される、示された（１つまたは複数の）変調方式を決定することができる。
【００３７】
[0044]さらに、一例では、変調コンポーネント２１０は、制御データリソースが重複された制御データを含むかどうかにかかわらず、デバイスへの制御データを変調するために１６ＱＡＭを使用することができる。この例では、変調コンポーネント２１０は、１６ＱＡＭを使用してデバイス１０４のための制御データを変調することができる。デバイス１０６のための重複された制御データを含まない制御データリソースの場合、たとえば、変調コンポーネント２１０は、デバイス１０４のための制御データリソース中で制御データを通信するために１６ＱＡＭのすべての４つのビット（たとえば、ベースレイヤおよびエンハンスメントレイヤ）を利用することができる。同様に、この例では、変調決定コンポーネント２１８は、どの制御データリソースが重複された制御データを含むかおよび／またはどの制御データリソースが重複された制御データを含まないかを決定することができる。たとえば、これは、（たとえば、変調方式に対応するシングルまたはマルチプルビットインジケータとして重複リソースシグナリングコンポーネント２１４から受信されたインジケーションに少なくとも部分的に基づいて決定されることができる。別の例では、２つの制御データリソースに関連するビットが（ｘ１，ｘ２）および（ｙ１，ｙ２）として表され、ただし、ｘ１、ｙ１がベースレイヤのためのものであり、ｘ２、ｙ２がエンハンスメントレイヤのためのものである場合、ＣＲＣコンポーネント２２２は、４つの可能性、たとえば、（ｘ１  ｘ２  ｙ１  ｙ２）、（ｘ１  ｘ２  ｙ２）、（ｘ２  ｙ２）、（ｘ２  ｙ１  ｙ２）のうちのいずれがＣＲＣテストにパスするかをチェックすることができ、パスする可能性が、デバイス１０４のための制御データを変調する際に利用されるレイヤを表すと仮定することができる。
【００３８】
[0045]たとえば、デバイスが、物理アップリンク制御チャネル（ＰＵＣＣＨ：physical uplink control channel）／拡張ＰＵＣＣＨ（ｅＰＵＣＣＨ：enhanced PUCCH）を送信するためのリソース情報を決定する際にダウンリンク許可のための初期制御データリソースの位置を使用し得るので、デバイスグループ化コンポーネント２０８は、初期制御データリソースを送信するためにデバイスをグループ化しないことを決定し得ることを諒解されたい。しかしながら、別の例では、デバイスは、上記で説明したようにグループ化され得、（たとえば、変調コンポーネント２１０によって）所与のデバイスのための制御データを変調するために選択されたレイヤは、（たとえば、初期制御データリソースの位置とともに）所与のデバイスによってＰＵＣＣＨ／ｅＰＵＣＣＨを送信するためのリソース情報を決定するために使用され得る。したがって、この例では、変調決定コンポーネント２１８は、デバイス１０４のために利用される変調レイヤを決定することができ、制御データ送信コンポーネント２２５は、アクセスポイント１０２にＰＵＣＣＨ／ｅＰＵＣＣＨを送信するためのリソース情報を決定する際にこの情報を使用し得る。たとえば、ＰＤＣＣＨ／ｅＰＤＣＣＨがデバイス１０４のためのエンハンスメントレイヤ中にある場合、変調決定コンポーネント２１８は、説明したように、デバイス１０４のための制御データがエンハンスメントレイヤ中にあると決定することができ、制御データ送信コンポーネント２２５は、ＰＤＣＣＨ／ｅＰＤＣＣＨの位置だけでなく、デバイス１０４のための制御データがエンハンスメントレイヤ中にあるという事実にも基づいて、ＰＵＣＣＨ／ｅＰＵＣＣＨリソースを決定することができる。一例では、制御データ送信コンポーネント２２５は、オフセットを適用しないことがあるか、あるいは異なるオフセット、関数、または他のパラメータを適用することがある、同じＰＤＣＣＨ／ｅＰＤＣＣＨのベースレイヤ中に制御データを有する別のデバイスと区別して、制御データがエンハンスメントレイヤ中にあると決定することに基づいて、ＰＵＣＣＨ／ｅＰＵＣＣＨリソースを決定するために、構成されたオフセット、関数、または他のパラメータを適用することができる。いずれの場合も、制御データ送信コンポーネント２２５はアクセスポイント１０２に制御データを送信することができ、制御データ受信コンポーネント２１５は、ＰＤＣＣＨ／ｅＰＤＣＣＨ中でデバイス１０４のための制御データを変調するために割り当てられたレイヤに少なくとも部分的に基づいて決定されたリソース中で、デバイス１０４から制御データを受信することができる。
【００３９】
[0046]また別の例では、ＰＤＣＣＨ／ｅＰＤＣＣＨのためのデバイス固有のサーチスペースがデバイスの識別子（たとえば、無線ネットワーク一時識別子（ＲＮＴＩ：radio network temporary identifier））と候補インデックスとだけでなく、デバイスのためのＰＤＣＣＨ／ｅＰＤＣＣＨリソースに関係する変調レイヤにも基づいて定義され得る。したがって、一例では、受信コンポーネント２１６は、デバイス１０４に割り当てられたＲＮＴＩと、候補インデックスと、変調レイヤとによって定義されたサーチスペース中でＰＤＣＣＨ／ｅＰＤＣＣＨを探索することができる。この点について、送信コンポーネント２１２は、デバイス１０４に割り当てられたＲＮＴＩと、候補インデックスと、変調レイヤとによって定義されたサーチスペース中でＰＤＣＣＨ／ｅＰＤＣＣＨを送信することができる。一例では、重複リソースシグナリングコンポーネント２１４は、（たとえば、無線リソース制御（ＲＲＣ）、レイヤ１、または同様のシグナリングにおいて）デバイス１０４に変調レイヤのインジケーションをシグナリングし得、重複決定コンポーネント２２４は、デバイス１０４のためのＰＤＣＣＨ／ｅＰＤＣＣＨサーチスペースを決定するためにそのインジケーションを受信し得る。別の例では、受信コンポーネント２１６は、変調レイヤおよび／またはサーチスペースを決定するためにブラインド復号を実行することができる。
【００４０】
[0047]図３に、マルチプルなデバイスのための制御データのマルチプルレイヤ変調を行うための変調方式３００および３０２の例示的なグラフィカル表現を示す。たとえば、変調方式３００は、各々がＱチャネルおよびＩチャネル上で表される４つの変調ポイント３０６をもつ４つのクラスタ３０４を有する１６ＱＡＭであり得る。この例では、４つのクラスタ３０４は隣接することができ、４つの変調ポイント３０６は各クラスタ３０４内で均等に離間され得る。たとえば、クラスタ３０４は、ＱＰＳＫを使用して第１のデバイス（たとえば、弱いデバイス）のためのデータを変調するために使用され得るが、４つのクラスタ３０４内の変調ポイントは、１６ＱＡＭを使用して第２のデバイス（たとえば、強いデバイス）のためのデータを変調するために使用され得る。
【００４１】
[0048]別の例では、変調方式３０２は、マルチプルなデバイスのための制御データを変調するために使用され得る。この例では、クラスタ３０８は、変調方式３００におけるよりも遠く離れて離間される一方、変調ポイント３１０間の同じスペースを有する。したがって、たとえば、アクセスポイントは、デバイス（たとえば、弱いデバイス）のための制御データを表すためにクラスタ間の距離を決定することができ、別のデバイス（たとえば、強いデバイス）のための制御データを表すためにクラスタ内の変調ポイントの相対位置を決定することができる。一例では、アクセスポイントは、より弱いデバイスのためのクラスタ間のより遠い距離と、より強いデバイスのためのクラスタ内の変調ポイントのより小さい相対位置とを利用することができる。その上、１６ＱＡＭとして図示および説明するが、アクセスポイントは、マルチプルなデバイスのための制御データのマルチプルレイヤ変調を行うためにＱＰＳＫ（たとえば、６４ＱＡＭなど）よりも大きい実質的に任意の変調方式（たとえば、より大きい変調次数）を利用することができることを諒解されたい。
【００４２】
[0049]図４Ａ〜図６を参照すると、単一制御信号ユニット中でマルチプルなデバイスのための制御データを変調するための例示的な方法が示されている。説明を簡単にするために、方法を一連の行為として図示し説明するが、いくつかの行為は、１つまたは複数の実施形態によれば、本明細書で図示し説明する他の行為と同時に、および／または異なる順序で行われ得るので、方法は行為の順序によって限定されないことを理解および諒解されたい。たとえば、方法は、状態図など、一連の相互に関係する状態またはイベントとして代替的に表現され得ることを諒解されたい。さらに、１つまたは複数の実施形態による方法を実施するために、図示のすべての行為が必要とされるとは限らない。
【００４３】
[0050]図４Ａおよび図４Ｂを参照すると、複数のデバイスのための制御データを含む可能性のある信号を復調することを容易にする例示的な方法４００が示されている。４０２において、アクセスポイントから少なくとも１つの制御データリソースを含む信号が受信される。説明したように、信号は、（たとえば、デバイスの受信コンポーネント２１６によって）制御データを通信するために予約されたリソース上で受信され得る。さらに、たとえば、制御データリソースは、ＣＣＥ、ｅＣＣＥなどに対応することができる。その上、説明したように、信号は、制御データリソースの異なる変調レイヤにおいてマルチプルなデバイスのための制御データを示すためにマルチプルレイヤ変調を使用して変調され得る。
【００４４】
[0051]４０４において、（たとえば、デバイスの変調決定コンポーネント２１８によって）信号中の少なくとも１つの制御データリソースを変調するために利用される複数の変調方式のうちの１つを決定する。説明したように、たとえば、変調方式を決定することは、（たとえば、他の制御データまたはそれ以外においてアクセスポイントから）変調方式のインジケーションを受信することを含むことができる。別の例では、変調方式を決定することは、複数の変調方式を使用して、制御データリソース、または信号の関係する部分を復号することを試みることと、どの変調方式が復号の成功をもたらすかを決定することとを含み得る。
【００４５】
[0052]４０６において、（たとえば、デバイスの変調決定コンポーネント２１８によって）デバイスのための制御データの変調に関連するレイヤが決定される。たとえば、図４Ｂに示されているように、これは、４０８において、制御データリソースの最後の２ビットに対応するエンハンスメントレイヤとしてレイヤを決定することを含むことができる。説明したように、変調決定コンポーネント２１８は、制御データリソースが別のデバイスのための重複された制御データを含むかどうかにかかわらず、１６ＱＡＭにおけるエンハンスメントレイヤとしてデバイス１０４のためのレイヤを決定することができる。別の例では、変調決定コンポーネント２１８は、制御データリソースが別のデバイスのための制御データと重複されるとき、１６ＱＡＭにおけるエンハンスメントレイヤとして（たとえば、またはさもなければ、ＱＰＳＫ変調におけるベースレイヤとして）デバイス１０４のためのレイヤを決定することができる。さらなる一例では、４０６においてレイヤを決定することは、４１０において、制御データリソースのすべてのビットに対応するベースレイヤおよびエンハンスメントレイヤとしてレイヤを決定することを含み得る。したがって、たとえば、変調決定コンポーネント２１８は、制御データリソースが別のデバイスのための制御データと重複されない１６ＱＡＭにおけるベースおよびエンハンスメントレイヤとしてレイヤを決定することができる。
【００４６】
[0053]レイヤを決定することは、制御データリソースが重複する制御データを含むかどうかに基づき得るので、４０６においてレイヤを決定することは、４１２において、アクセスポイントからレイヤを示す信号を受信することを含み得る。たとえば、説明したように、信号は、デバイスのための制御データがエンハンスメントレイヤにマッピングされるかどうかを示すか、またはより一般的に、制御データリソースが、関連するレイヤをデバイスがそれから決定し得る重複された制御データを含むかどうかを示すことができる。別の例では、４０６においてレイヤを決定することは、４１４において、レイヤを決定するために信号の複数の復調にＣＲＣを適用することを含み得る。説明したように、１つまたは複数の制御データリソースが重複しているかどうかは、ＣＲＣを適用することに基づいて決定され得、レイヤは、制御データリソースが重複されるかどうかに少なくとも部分的に基づいて決定され得る（たとえば、説明したように、制御データリソースが重複される場合はエンハンスメントレイヤ、他の場合はベースレイヤなど）。
【００４７】
[0054]その上、一例では、４０６においてレイヤを決定することは、４１６において、アクセスポイントに送信されたチャネルフィードバックに少なくとも部分的に基づいてレイヤを決定することを含み得る。一例では、デバイスは、デバイスが、しきい値レベルを達成したチャネルフィードバックをアクセスポイントに報告したと決定することに少なくとも部分的に基づいて、それの制御データがエンハンスメントレイヤにマッピングされると決定することができる。
【００４８】
[0055]再び図４Ａを参照すると、４１８において、少なくとも１つの制御データリソース中で制御データを取得するために（たとえば、デバイスの復調コンポーネント２２０によって）複数の変調方式のうちの１つとレイヤとに従って信号が復調される。説明したように、信号は、マルチプルレイヤ変調において、ＱＰＳＫ、１６ＱＡＭなどの複数の変調方式を使用して変調され得る。各レイヤは所与のデバイスのための制御データを含むことができ、したがって、決定された変調方式とレイヤとに従って信号を復調することは、特定のデバイスのための制御データを生じることができる。４１８において信号を復調することは、４２０において、デバイスのための制御データを決定するためにレイヤに対応する制御データリソースのビットの一部分を取得することを含み得る。たとえば、説明したように、エンハンスメントレイヤは制御データリソースの最後の２ビットに対応することができ、ベースレイヤは最初の２ビットに対応することができる。
【００４９】
[0056]オプションにより、４２２において、（たとえば、制御データ送信コンポーネント２２５によって）レイヤに少なくとも部分的に基づいてアクセスポイントに制御データを送信するための１つまたは複数のリソースが決定される。説明したように、たとえば、制御データを送信するためのＰＵＣＣＨ／ｅＰＵＣＣＨリソースは、ＰＤＣＣＨ／ｅＰＤＣＣＨ制御データリソースがその上で受信されるリソースに基づいて、およびＰＤＣＣＨ／ｅＰＤＣＣＨがベースレイヤ中にあるのかまたはエンハンスメントレイヤ中にあるのかにさらに基づいて決定され得る。これは、同じＰＤＣＣＨ／ｅＰＤＣＣＨリソース中で重複された制御データを受信するデバイスのためのＰＵＣＣＨ／ｅＰＵＣＣＨリソース上での競合を回避することができる。
【００５０】
[0057]オプションにより、４２４において、（たとえば、デバイスの受信コンポーネント２１６によって）レイヤに少なくとも部分的に基づいて制御データリソースを受信するための制御チャネルのためのサーチスペースが決定される。説明したように、たとえば、デバイスのためのＰＤＣＣＨリソースの位置を特定するためのサーチスペースは、デバイス１０４に割り当てられたＲＮＴＩと、候補インデックスと、変調レイヤとに少なくとも部分的に基づいて決定され得る。たとえば、デバイスは、決定された変調レイヤによってインデックス付けされた追加のサーチスペース中でＰＤＣＣＨを探索することができる。
【００５１】
[0058]図５を参照すると、制御データリソース中で制御データを変調することを容易にする例示的な方法５００が示されている。５０２において、（たとえば、アクセスポイントの変調コンポーネント２１０によって）制御データリソースが第２のデバイスのための制御データを含むかどうかに少なくとも部分的に基づいて、制御データリソースのエンハンスメントレイヤ中で第１のデバイスのための第１の制御データが変調される。たとえば、説明したように、変調コンポーネント２１０は、マルチプルレイヤ変調においてレイヤのための１６ＱＡＭ変調を使用してエンハンスメントレイヤ中で第１のデバイスのための制御データを変調することができる。この点について、制御データリソースの最後の２ビットは、第１のデバイスのために変調され得る。変調コンポーネント２１０は、エンハンスメントレイヤ中で第１のデバイスのための制御データを変調することができ、ただし、それは、制御データリソース中で（たとえば、ベースレイヤ中で）第２のデバイスのための制御データをも変調することを決定する。別の例では、変調コンポーネント２１０は、別のデバイスのための制御データが制御データリソース中で変調されるかどうかにかかわらず、エンハンスメントレイヤ中で第１のデバイスの制御データを変調することができる。
【００５２】
[0059]５０４において、（たとえば、送信コンポーネント２１２によって）制御データリソース上で変調された少なくとも第１の制御データが送信される。オプションにより、５０６において、（たとえば、アクセスポイントの変調コンポーネント２１０によって）制御データリソースのベースレイヤ中で第２の制御データが変調される。たとえば、第２の制御データは、説明したように、ＱＰＳＫを使用して変調され得、ここで、制御データは第２のデバイスに関する。別の例では、第２の制御データは、１６ＱＡＭを使用して制御データリソースの１番目の２ビットとして変調され得、ここで、制御データは第１のデバイスに関し、制御データは制御データリソース中で重複されるべきでない。オプションにより、５０８において、（たとえば、アクセスポイントの変調コンポーネント２１０によって）ベースレイヤとエンハンスメントレイヤとを重ね合わせることによって、制御リソースのマルチプルレイヤ変調を実行する。さらに、５０４において少なくとも第１の制御チャネルを送信することは、オプションにより、５１０において、制御リソースのマルチプルレイヤ変調において第１の制御データとともに第２の制御データを送信することを含み得る。したがって、制御データリソース中でマルチプルなデバイスのための制御データを送信することは、説明したように、制御データリソース使用を改善することができ、それは、データリソースの使用の増加を可能にすることによってデータスループットを増加させることができる。
【００５３】
[0060]オプションにより、５１２において、（たとえば、アクセスポイントの送信コンポーネント２１２によって）制御データリソースが重複された制御データを含むかどうかのインジケーションが送信される。これは、説明したように、デバイスが、デバイスのための制御データに適用されるレイヤおよび／または変調方式を決定するのを支援することができる。
【００５４】
[0061]オプションにより、５１４において、（たとえば、制御データ受信コンポーネント２１５によって）エンハンスメントレイヤ中で第１の制御データを変調することに少なくとも部分的に基づいて決定されたリソース中で、第１のデバイスからアップリンク制御データを受信する。たとえば、説明したように、デバイスは、デバイス制御データがエンハンスメントレイヤにマッピングされることに基づいて（たとえば、および／または制御データリソースの一態様に基づいて）決定されたＰＵＣＣＨリソース中で制御データを送信することができる。したがって、このアップリンク制御データは、デバイス制御データが（たとえば、ベースレイヤまたは別のレイヤではなく）エンハンスメントレイヤにマッピングされることに基づいて決定されたリソース上で受信され得る。
【００５５】
[0062]第１の制御データを送信することは、オプションにより、５１６において、（たとえば、アクセスポイントの送信コンポーネント２１２によって）エンハンスメントレイヤ中で第１の制御データを変調することに少なくとも部分的に基づいて定義されたサーチスペース中で第１の制御データを送信することを含み得る。したがって、関係するデバイスは、（たとえば、デバイスに割り当てられたＲＮＴＩおよび／または候補インデックスに加えて）第１の制御データがエンハンスメントレイヤにマッピングされることに少なくとも部分的に基づいて、第１の制御データを受信するためのリソース（たとえば、制御データリソース）を決定することができる。
【００５６】
[0063]図６を参照すると、単一の制御データリソース中でデバイスのペアのための制御データを変調することを容易にする例示的な方法６００が示されている。６０２において、（たとえば、アクセスポイントのデバイスグループ化コンポーネント２０８によって、）それに制御データを通信するために強いデバイスが弱いデバイスとグループ化される。説明したように、たとえば、強いデバイスおよび弱いデバイスは、受信されたチャネルフィードバックに少なくとも部分的に基づいて決定され得る。６０４において、（たとえば、アクセスポイントの変調コンポーネント２１０によって）１６ＱＡＭを使用して強いデバイスおよび／または弱いデバイスのための制御データを含むＣＣＥが変調される。説明したように、たとえば、第１のデバイスのための制御データを搬送するために１６ＱＡＭ変調の（たとえば、第１のレイヤにおける）１番目の２ビットが使用され得、第２のデバイスのための制御データを搬送するために（たとえば、第２のレイヤにおける）２番目の２ビットが使用され得る。オプションにより、６０６において、ＱＰＳＫを使用して、弱いデバイスのための制御データを含む制御データリソースが変調される。したがって、この例では、１６ＱＡＭのエンハンスメントレイヤは、両方のデバイスのための制御データを含むことができ、ＱＰＳＫのベースレイヤは、弱いデバイスがそれの制御データを少なくともＱＰＳＫを使用して復調することができることを保証するように弱いデバイスのための制御データを含むことができる。
【００５７】
[0064]図７を参照すると、一実施形態による多元接続ワイヤレス通信システムが示されている。アクセスポイント７００（ＡＰ）はマルチプルなアンテナグループを含み、あるアンテナグループは７０４と７０６とを含み、別のアンテナグループは７０８と７１０とを含み、追加のアンテナグループは７１２と７１４とを含む。図７では、アンテナグループごとに２つのアンテナのみが示されているが、アンテナグループごとにより多いまたはより少ないアンテナが利用され得る。ＡＰ７００はアクセスポイント１０２であり得、したがって、（たとえば、図５中の方法５００、図６中の方法６００、またはそれ以外を実行することに基づいて）本明細書で説明するようにマルチプルなデバイスのための制御データを変調するための、これらに限定するものではないが、デバイスグループ化コンポーネント２０８、変調コンポーネント２１０、送信コンポーネント２１２など、それの１つまたは複数のコンポーネントを含み得る。アクセス端末７１６（ＡＴ）はアンテナ７１２および７１４と通信しており、アンテナ７１２および７１４は、順方向リンク７２０上でアクセス端末７１６に情報を送信し、逆方向リンク７１８上でアクセス端末７１６から情報を受信する。アクセス端末７２２はアンテナ７０４および７０６と通信しており、アンテナ７０４および７０６は、順方向リンク７２６上でアクセス端末７２２に情報を送信し、逆方向リンク７２４上でアクセス端末７２２から情報を受信する。ＡＴ７１６および／または７２２はデバイス１０４および／または１０６であり得、したがって、（たとえば、図４中の方法４００またはそれ以外を実行することに基づいて）１つまたは複数のＡＰから受信された制御データに関連するレイヤおよび／または変調方式を決定するための、これらに限定するものではないが、受信コンポーネント２１６、変調決定コンポーネント２１８、復調コンポーネント２２０など、それの１つまたは複数のコンポーネントを含み得る。ＦＤＤ（周波数分割複信）システムでは、通信リンク７１８、７２０、７２４および７２６は、通信のための異なる周波数を使用することができる。たとえば、順方向リンク７２０は、逆方向リンク７１８によって使用されるものとは異なる周波数を使用することができる。
【００５８】
[0065]アンテナの各グループ、および／またはアンテナが通信するように設計されたエリアは、しばしば、アクセスポイントのセクタと呼ばれる。本実施形態では、アンテナグループはそれぞれ、アクセスポイント７００によってカバーされるエリアのセクタ中でアクセス端末に通信するように設計される。
【００５９】
[0066]順方向リンク７２０および７２６上の通信では、アクセスポイント７００の送信アンテナは、異なるアクセス端末７１６および７２２に対して順方向リンクの信号対雑音比を改善するためにビームフォーミングを利用する。また、アクセスポイントが、ビームフォーミングを使用して、それのカバレージ中にランダムに分散されたアクセス端末に送信するほうが、アクセスポイントが単一のアンテナを介してすべてのそれのアクセス端末に送信するよりも、近隣セル中のアクセス端末への干渉が小さくなる。
【００６０】
[0067]図８は、ＭＩＭＯシステム８００における送信機システム８１０（アクセスポイントとしても知られる）および受信機システム８５０（アクセス端末としても知られる）の実施形態のブロック図である。送信機システム８１０はアクセスポイント１０２であり得、したがって、（たとえば、図５中の方法５００、図６中の方法６００、またはそれ以外を実行することに基づいて）本明細書で説明するようにマルチプルなデバイスのための制御データを変調するための、これらに限定するものではないが、デバイスグループ化コンポーネント２０８、変調コンポーネント２１０、送信コンポーネント２１２など、それの１つまたは複数のコンポーネントを含み得る。コンポーネントのうちの１つまたは複数は、本明細書で説明するそれらの機能を実行するためのプロセッサ８３０によって実行されるか、またはさもなければプロセッサ８３０に結合され得ることを諒解されたい。その上、たとえば、メモリ８３２は、本明細書で説明するコンポーネントの機能を実行することに関係する命令またはパラメータを記憶することができる。さらに、たとえば、送信コンポーネント２１２は、マルチプルレイヤ変調を使用して制御データを送信するための（１つまたは複数の）送信機８２２、送信ＭＩＭＯプロセッサ８２０、送信データプロセッサ８１４などを含むか、またはさもなければそれらに結合され得る。受信機システム８５０はデバイス１０４および／または１０６であり得、したがって、（たとえば、図４中の方法４００またはそれ以外を実行することに基づいて）１つまたは複数のＡＰから受信された制御データに関連するレイヤおよび／または変調方式を決定するための、これらに限定するものではないが、受信コンポーネント２１６、変調決定コンポーネント２１８、復調コンポーネント２２０など、それの１つまたは複数のコンポーネントを含み得る。コンポーネントのうちの１つまたは複数は、本明細書で説明するそれらの機能を実行するためのプロセッサ８７０によって実行されるか、またはさもなければプロセッサ８７０に結合され得ることを諒解されたい。その上、たとえば、メモリ８７２は、本明細書で説明するコンポーネントの機能を実行することに関係する命令またはパラメータを記憶することができる。さらに、たとえば、受信コンポーネント２１６は、重複された制御データを受信するための（１つまたは複数の）受信機８５４、受信データプロセッサ８６０などを含むか、またはさもなければそれらに結合され得る。
【００６１】
[0068]送信機システム８１０において、いくつかのデータストリームのトラフィックデータがデータソース８１２から送信（ＴＸ）データプロセッサ８１４に与えられる。さらに、送信機システム８１０および／または受信機システム８５０は、それらの間のワイヤレス通信を容易にするために、本明細書で説明するシステム（たとえば、図１および図２）、変調方式（たとえば、図３）、および／または方法（たとえば、図４〜図６）を採用することができることを諒解されたい。たとえば、本明細書で説明するシステムおよび／または方法のコンポーネントまたは機能は、以下で説明するメモリ８３２および／または８７２あるいはプロセッサ８３０および／または８７０の一部であり得、ならびに／あるいは開示する機能を実行するためにプロセッサ８３０および／または８７０によって実行され得る。
【００６２】
[0069]一実施形態では、各データストリームは、それぞれの送信アンテナを介して送信される。ＴＸデータプロセッサ８１４は、各データストリームのトラフィックデータを、そのデータストリーム用に選択された特定のコーディング方式に基づいてフォーマットし、コーディングし、インターリーブして、コード化データを提供する。
【００６３】
[0070]各データストリームのコード化データは、ＯＦＤＭ技法を使用してパイロットデータで多重化され得る。パイロットデータは、典型的には、知られている方法で処理され、チャネル応答を推定するために受信機システムにおいて使用され得る知られているデータパターンである。各データストリームの多重化されたパイロットデータおよびコード化データは、次いで、変調シンボルを与えるために、そのデータストリーム用に選択された特定の変調方式（たとえば、ＢＰＳＫ、ＱＰＳＫ、Ｍ−ＰＳＫ、またはＭ−ＱＡＭ）に基づいて変調（たとえば、シンボルマッピング）される。各データストリームのデータレート、コーディング、および変調は、プロセッサ８３０によって実行される命令によって決定され得る。
【００６４】
[0071]次いで、すべてのデータストリームの変調シンボルがＴＸ  ＭＩＭＯプロセッサ８２０に与えられ、ＴＸ  ＭＩＭＯプロセッサ８２０はさらに（たとえば、ＯＦＤＭ用に）その変調シンボルを処理することができる。ＴＸ  ＭＩＭＯプロセッサ８２０は、次いで、ＮT個の変調シンボルストリームをＮT個の送信機（ＴＭＴＲ）８２２ａ〜８２２ｔに与える。いくつかの実施形態では、ＴＸ  ＭＩＭＯプロセッサ８２０は、データストリームのシンボルと、シンボルの送信元のアンテナとにビームフォーミング重みを適用する。
【００６５】
[0072]各送信機８２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。次いで、送信機８２２ａ〜８２２ｔからのＮT個の被変調信号は、それぞれＮT個のアンテナ８２４ａ〜８２４ｔから送信される。
【００６６】
[0073]受信機システム８５０において、送信された被変調信号は、ＮR個のアンテナ８５２ａ〜８５２ｒによって受信され、各アンテナ８５２からの受信信号は、それぞれの受信機（ＲＣＶＲ）８５４ａ〜８５４ｒに与えられる。各受信機８５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００６７】
[0074]次いで、ＲＸデータプロセッサ８６０が、ＮR個の受信機８５４からＮR個の受信シンボルストリームを受信し、ＮT個の「検出」シンボルストリームを与えるために特定の受信機処理技法に基づいて処理する。ＲＸデータプロセッサ８６０は、次いで、データストリームのトラフィックデータを復元するために、各検出シンボルストリームを復調、デインターリーブ、および復号する。ＲＸデータプロセッサ８６０による処理は、送信機システム８１０におけるＴＸ  ＭＩＭＯプロセッサ８２０およびＴＸデータプロセッサ８１４によって実行される処理を補足するものである。
【００６８】
[0075]プロセッサ８７０は、どのプリコーディング行列を使用すべきかを周期的に決定する（以下で説明する）。プロセッサ８７０は、行列インデックス部分とランク値部分とを含む逆方向リンクメッセージを構築する。
【００６９】
[0076]逆方向リンクメッセージは、通信リンクおよび／または受信データストリームに関する様々なタイプの情報を含むことができる。通信リンクおよび／またはデータストリームに関する情報を含み得るチャネル状態情報（ＣＳＩ：channel state information）が与えられ得る。逆方向リンクメッセージは、次いで、データソース８３６からいくつかのデータストリームのトラフィックデータをも受信するＴＸデータプロセッサ８３８によって処理され、変調器８８０によって変調され、送信機８５４ａ〜８５４ｒによって調整され、送信機システム８１０に返信される。
【００７０】
[0077]送信機システム８１０において、受信機システム８５０からの被変調信号は、受信機システム８５０によって送信された逆方向リンクメッセージを抽出するために、アンテナ８２４によって受信され、受信機８２２によって調整され、復調器８４０によって復調され、ＲＸデータプロセッサ８４２によって処理される。通信リンクおよび／またはデータストリームに関する情報を含み得るチャネル状態情報（ＣＳＩ）が与えられ得る。プロセッサ８３０は、ビームフォーミング重みを決定するためにどのプリコーディング行列を使用すべきかを決定し、次いで、抽出されたメッセージを処理する。
【００７１】
[0078]プロセッサ８３０および８７０は、それぞれ送信機システム８１０および受信機システム８５０における動作をインジケーション（たとえば、制御、調整、管理など）することができる。それぞれのプロセッサ８３０および８７０は、プログラムコードおよびデータを記憶するメモリ８３２および８７２に関連付けられ得る。プロセッサ８３０および８７０はまた、それぞれ、アップリンクおよびダウンリンクのための周波数およびインパルス応答推定値を導出するために計算を実行することができる。
【００７２】
[0079]様々な開示する実施形態のいくつかに適応し得る通信ネットワークは、制御チャネルとトラフィックチャネルとに分類される論理チャネルを含み得る。論理制御チャネルは、システム制御情報をブロードキャストするためのダウンリンクチャネルであるブロードキャスト制御チャネル（ＢＣＣＨ：broadcast control channel）、ページング情報を転送するダウンリンクチャネルであるページング制御チャネル（ＰＣＣＨ：paging control channel）、１つまたは複数のマルチキャストトラフィックチャネル（ＭＴＣＨ：multicast traffic channel）のためのマルチメディアブロードキャストおよびマルチキャストサービス（ＭＢＭＳ：multimedia broadcast and multicast service）スケジューリングおよび制御情報を送信するために使用されるポイントツーマルチポイントダウンリンクチャネルであるマルチキャスト制御チャネル（ＭＣＣＨ：multicast control channel）を含み得る。概して、無線リソース制御（ＲＲＣ：radio resource control）接続を確立した後、ＭＣＣＨは、ＭＢＭＳを受信するユーザ機器によってのみ使用される。専用制御チャネル（ＤＣＣＨ：dedicated control channel）は、ＲＲＣ接続を有するユーザ機器によって使用されるユーザ固有の制御情報などの専用制御情報を送信するポイントツーポイント双方向チャネルである別の論理制御チャネルである。また、共通制御チャネル（ＣＣＣＨ：common control channel）は、ランダムアクセス情報のために使用され得る論理制御チャネルである。論理トラフィックチャネルは、ユーザ情報の転送のための１つのユーザ機器に専用のポイントツーポイント双方向チャネルである専用トラフィックチャネル（ＤＴＣＨ：dedicated traffic channel）を含み得る。また、マルチキャストトラフィックチャネル（ＭＴＣＨ）は、トラフィックデータのポイントツーマルチポイントダウンリンク送信のために使用され得る。
【００７３】
[0080]様々な実施形態のいくつかに適応する通信ネットワークは、さらに、ダウンリンク（ＤＬ）とアップリンク（ＵＬ）とに分類される論理トランスポートチャネルを含み得る。ＤＬトランスポートチャネルは、ブロードキャストチャネル（ＢＣＨ：broadcast channel）、ダウンリンク共有データチャネル（ＤＬ−ＳＤＣＨ：downlink shared data channel）、マルチキャストチャネル（ＭＣＨ：multicast channel）、およびページングチャネル（ＰＣＨ：Paging Channel）を含み得る。ＵＬトランスポートチャネルは、ランダムアクセスチャネル（ＲＡＣＨ：random access channel）、要求チャネル（ＲＥＱＣＨ：request channel）、アップリンク共有データチャネル（ＵＬ−ＳＤＣＨ：uplink shared data channel）、および複数の物理チャネルを含み得る。物理チャネルはまた、ダウンリンクチャネルとアップリンクチャネルとのセットを含み得る。
【００７４】
[0081]いくつかの開示する実施形態では、ダウンリンク物理チャネルは、共通パイロットチャネル（ＣＰＩＣＨ：common pilot channel）、同期チャネル（ＳＣＨ：synchronization channel）、共通制御チャネル（ＣＣＣＨ）、共有ダウンリンク制御チャネル（ＳＤＣＣＨ：shared downlink control channel）、マルチキャスト制御チャネル（ＭＣＣＨ）、共有アップリンク割当てチャネル（ＳＵＡＣＨ：shared uplink assignment channel）、肯定応答チャネル（ＡＣＫＣＨ：acknowledgement channel）、ダウンリンク物理共有データチャネル（ＤＬ−ＰＳＤＣＨ：downlink physical shared data channel）、アップリンク電力制御チャネル（ＵＰＣＣＨ：uplink power control channel）、ページングインジケータチャネル（ＰＩＣＨ：paging indicator channel）、負荷インジケータチャネル（ＬＩＣＨ：load indicator channel）、物理ブロードキャストチャネル（ＰＢＣＨ：physical broadcast channel）、物理制御フォーマットインジケータチャネル（ＰＣＦＩＣＨ：physical control format indicator channel）、物理ダウンリンク制御チャネル（ＰＤＣＣＨ）、物理ハイブリッドＡＲＱインジケータチャネル（ＰＨＩＣＨ：physical hybrid ARQ indicator channel）、物理ダウンリンク共有チャネル（ＰＤＳＣＨ：physical downlink shared channel）および物理マルチキャストチャネル（ＰＭＣＨ：physical multicast channel）のうちの少なくとも１つを含み得る。アップリンク物理チャネルは、物理ランダムアクセスチャネル（ＰＲＡＣＨ：physical random access channel）、チャネル品質インジケータチャネル（ＣＱＩＣＨ：channel quality indicator channel）、肯定応答チャネル（ＡＣＫＣＨ）、アンテナサブセットインジケータチャネル（ＡＳＩＣＨ：antenna subset indicator channel）、共有要求チャネル（ＳＲＥＱＣＨ：shared request channel）、アップリンク物理共有データチャネル（ＵＬ−ＰＳＤＣＨ：uplink physical shared data channel）、ブロードバンドパイロットチャネル（ＢＰＩＣＨ：broadband pilot channel）、物理アップリンク制御チャネル（ＰＵＣＣＨ）および物理アップリンク共有チャネル（ＰＵＳＣＨ：physical uplink shared channel）のうちの少なくとも１つを含み得る。
【００７５】
[0082]本明細書で開示した実施形態に関して説明した様々な例示的な論理、論理ブロック、モジュール、コンポーネント、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタロジック、ディスクリートハードウェアコンポーネント、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。さらに、少なくとも１つのプロセッサは、上記で説明したステップおよび／またはアクションのうちの１つまたは複数を実行するように動作可能な１つまたは複数のモジュールを含み得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に存在し得る。さらに、ＡＳＩＣはユーザ端末中に常駐し得る。代替として、プロセッサおよび記憶媒体は、ユーザ端末中にディスクリートコンポーネントとして存在し得る。
【００７６】
[0083]１つまたは複数の態様では、説明した機能、方法またはアルゴリズムは、ハードウェア、ソフトウェア、ファームウェア、またはそれらの組合せで実装され得る。ソフトウェア／ファームウェアで実装する場合、機能は、１つまたは複数の命令またはコードとして、コンピュータプログラム製品に組み込まれ得る、コンピュータ可読媒体上に記憶されるか、あるいはコンピュータ可読媒体上で送信され得る。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、フラッシュメモリ、相変化メモリ（ＰＣＭ）、ＣＤ−ＲＯＭまたは他の光ディスクストレージ、磁気ディスクストレージ、または他の磁気ストレージデバイス、あるいは命令またはデータ構造の形態の所望のプログラムコードを搬送または記憶するために使用され得、コンピュータによってアクセスされ得る、任意の他の媒体を含むことができる。また、実質的にいかなる接続もコンピュータ可読媒体と呼ばれ得る。たとえば、ソフトウェア／ファームウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００７７】
[0084]上記の開示は、例示的な態様および／または実施形態について論じているが、添付の特許請求の範囲によって定義される説明した態様および／または実施形態の範囲から逸脱することなく、様々な変更および改変を行うことができることに留意されたい。さらに、説明した態様および／または実施形態の要素は、単数形で説明または請求されていることがあるが、単数形への限定が明示的に述べられていない限り、複数形が企図される。さらに、任意の態様および／または実施形態の全部または一部は、別段の規定がない限り、任意の他の態様および／または実施形態の全部または一部とともに利用され得る。
以下に本願の出願当初の特許請求の範囲に記載された発明を付記する。
[Ｃ１]  ワイヤレス通信において制御データを復調するための方法であって、
デバイスにおいて、アクセスポイントから少なくとも１つの制御データリソースを備える信号を受信することと、
前記少なくとも１つの制御データリソースを変調するために利用される複数の変調方式のうちの１つを決定することと、
前記デバイスのための制御データの変調に関連するレイヤを決定することと、
前記少なくとも１つの制御データリソース中で制御データを取得するために、前記複数の変調方式のうちの前記１つと前記レイヤとに従って前記信号を復調することと
を備える、方法。
[Ｃ２]  前記レイヤを決定することは、前記少なくとも１つの制御データリソースが重複する制御データを含むかどうかを決定することに少なくとも部分的に基づく、Ｃ１に記載の方法。
[Ｃ３]  前記少なくとも１つの制御データリソースが重複する制御データを含むかどうかを決定することは、前記少なくとも１つの制御データリソースが重複する制御データを含むかどうかを指定するインジケーションを前記アクセスポイントから受信することに少なくとも部分的に基づく、Ｃ２に記載の方法。
[Ｃ４]  前記少なくとも１つの制御データリソースが重複する制御データを含むかどうかを決定することは、前記複数の変調方式のうちの少なくとも２つを使用して前記信号のマルチプルな復調を実行することと、前記マルチプルな復調の各々に巡回冗長検査（ＣＲＣ）を適用することと、前記それぞれのＣＲＣに基づいてどの復調が前記少なくとも１つの制御データリソースを生じるかを決定することとに少なくとも部分的に基づく、Ｃ２に記載の方法。
[Ｃ５]  前記レイヤを決定することが、前記レイヤをエンハンスメントレイヤとして決定することを備え、前記信号を復調することが、前記エンハンスメントレイヤに対応する前記少なくとも１つの制御データリソースの最後の２ビットを取得することを備える、Ｃ１に記載の方法。
[Ｃ６]  前記レイヤを前記エンハンスメントレイヤとして決定することは、前記少なくとも１つの制御データリソースが重複する制御データを含むかどうかを決定することに少なくとも部分的に基づく、Ｃ５に記載の方法。
[Ｃ７]  前記レイヤを前記エンハンスメントレイヤとして決定することは、前記アクセスポイントに報告されるチャネルフィードバックがしきい値を達成すると決定することに少なくとも部分的に基づく、Ｃ５に記載の方法。
[Ｃ８]  前記レイヤを決定することは、前記少なくとも１つの制御データリソースが重複する制御データを含まないと決定することに少なくとも部分的に基づいて、前記レイヤをベースレイヤおよびエンハンスメントレイヤとして決定することを備える、Ｃ１に記載の方法。
[Ｃ９]  前記レイヤに少なくとも部分的に基づいて、前記アクセスポイントに制御データを送信するための１つまたは複数のリソースを決定することをさらに備える、Ｃ１に記載の方法。
[Ｃ１０]  前記レイヤに少なくとも部分的に基づいて、前記少なくとも１つの制御データリソースに対応する制御チャネルのためのサーチスペースを決定することをさらに備える、Ｃ１に記載の方法。
[Ｃ１１]  ワイヤレス通信において制御データを復調するための装置であって、
デバイスにおいて、アクセスポイントから少なくとも１つの制御データリソースを備える信号を受信するように構成された受信コンポーネントと、
前記少なくとも１つの制御データリソースを変調するために利用される複数の変調方式のうちの１つを決定することと、前記デバイスのための制御データの変調に関連するレイヤを決定することとを行うように構成された変調決定コンポーネントと、
前記少なくとも１つの制御データリソース中で制御データを取得するために、前記複数の変調方式のうちの前記１つと前記レイヤとに従って前記信号を復調するように構成された復調コンポーネントと
を備える、装置。
[Ｃ１２]  前記変調決定コンポーネントは、前記少なくとも１つの制御データリソースが重複する制御データを含むかどうかを指定するインジケーションを前記アクセスポイントから受信することに少なくとも部分的に基づく、前記少なくとも１つの制御データリソースが重複する制御データを含むかどうかを決定することに少なくとも部分的に基づいて、前記レイヤを決定する、Ｃ１１に記載の装置。
[Ｃ１３]  前記変調決定コンポーネントは、前記複数の変調方式のうちの少なくとも２つを使用して前記信号のマルチプルな復調を実行することと、前記マルチプルな復調の各々に巡回冗長検査（ＣＲＣ）を適用することと、前記それぞれのＣＲＣに基づいてどの復調が前記少なくとも１つの制御データリソースを生じるかを決定することとに少なくとも部分的に基づく、前記少なくとも１つの制御データリソースが重複する制御データを含むかどうかを決定することに少なくとも部分的に基づいて、前記レイヤを決定する、Ｃ１１に記載の装置。
[Ｃ１４]  前記変調決定コンポーネントが前記レイヤをエンハンスメントレイヤとして決定し、前記復調コンポーネントが、前記エンハンスメントレイヤに対応する前記少なくとも１つの制御データリソースの最後の２ビットを取得する、Ｃ１１に記載の装置。
[Ｃ１５]  前記レイヤに少なくとも部分的に基づいて、前記アクセスポイントに制御データを送信するための１つまたは複数のリソースを決定するように構成された制御データ送信コンポーネントをさらに備える、Ｃ１１に記載の装置。
[Ｃ１６]  前記受信コンポーネントが、前記レイヤに少なくとも部分的に基づいて、前記少なくとも１つの制御データリソースに対応する制御チャネルのためのサーチスペースを決定するようにさらに構成された、Ｃ１１に記載の装置。
[Ｃ１７]  ワイヤレス通信において制御データを変調するための方法であって、
制御データリソースが第２のデバイスのための第２の制御データを含むかどうかに少なくとも部分的に基づいて、前記制御データリソースのエンハンスメントレイヤ中で第１のデバイスのための第１の制御データを変調することと、
前記制御データリソース上で変調された少なくとも前記第１の制御データを送信することと
を備える、方法。
[Ｃ１８]  前記制御データリソースの前記エンハンスメントレイヤ中で前記第１のデバイスのための前記第１の制御データを変調することは、前記制御データリソースが前記第２のデバイスのための前記第２の制御データを含むかどうかに関係しない、Ｃ１７に記載の方法。
[Ｃ１９]  前記制御データリソースのベースレイヤ中で前記第２のデバイスのための前記第２の制御データを変調することと、
前記ベースレイヤと前記エンハンスメントレイヤとを重ね合わせることによって前記制御データリソースのマルチプルレイヤ変調を実行することと、
前記制御データリソースの前記マルチプルレイヤ変調において前記第１の制御データとともに前記第２の制御データを送信することと
をさらに備える、Ｃ１７に記載の方法。
[Ｃ２０]  前記第１の制御データを変調することが１６直交振幅変調に基づき、前記第２の制御データを変調することが４位相シフトキーイングに基づく、Ｃ１９に記載の方法。
[Ｃ２１]  前記第１のデバイスと前記第２のデバイスとからの報告されたチャネルフィードバックに少なくとも部分的に基づいて前記制御データリソース中で前記第１の制御データと前記第２の制御データとを通信するために前記第１のデバイスと前記第２のデバイスとをグループ化すると決定することをさらに備える、Ｃ１９に記載の方法。
[Ｃ２２]  前記制御データリソースのベースレイヤ中で前記第１のデバイスのための第３の制御データを変調することと、
前記ベースレイヤと前記エンハンスメントレイヤとを重ね合わせることによって前記制御データリソースのマルチプルレイヤ変調を実行することと、
前記制御データリソースの前記マルチプルレイヤ変調において前記第１の制御データとともに前記第３の制御データを送信することと
をさらに備える、Ｃ１７に記載の方法。
[Ｃ２３]  前記制御データリソースがマルチプルなデバイスのための重複された制御データを含むかどうかのインジケーションを前記第１のデバイスに送信することをさらに備える、Ｃ１７に記載の方法。
[Ｃ２４]  前記エンハンスメントレイヤ中で前記第１のデバイスのための前記第１の制御データを変調することに少なくとも部分的に基づいて決定されたリソース中で、前記第１のデバイスからアップリンク制御データを受信することをさらに備える、Ｃ１７に記載の方法。
[Ｃ２５]  前記エンハンスメントレイヤ中で前記第１のデバイスのための前記第１の制御データを変調することに少なくとも部分的に基づいて定義されたサーチスペース中で、前記第１の制御データを送信することをさらに備える、Ｃ１７に記載の方法。
[Ｃ２６]  ワイヤレス通信において制御データを変調するための装置であって、
制御データリソースが第２のデバイスのための第２の制御データを含むかどうかに少なくとも部分的に基づいて、前記制御データリソースのエンハンスメントレイヤ中で第１のデバイスのための第１の制御データを変調するように構成された変調コンポーネントと、
前記制御データリソース上で変調された少なくとも前記第１の制御データを送信するように構成された送信コンポーネントと
備える、装置。
[Ｃ２７]  前記変調コンポーネントが、前記制御データリソースのベースレイヤ中で前記第２のデバイスのための前記第２の制御データを変調することと、前記ベースレイヤと前記エンハンスメントレイヤとを重ね合わせることによって前記制御データリソースのマルチプルレイヤ変調を実行することとを行うようにさらに構成され、前記送信コンポーネントが、前記制御データリソースの前記マルチプルレイヤ変調において前記第１の制御データとともに前記第２の制御データを送信するようにさらに構成された、Ｃ２６に記載の装置。
[Ｃ２８]  前記第１のデバイスと前記第２のデバイスとからの報告されたチャネルフィードバックに少なくとも部分的に基づいて前記制御データリソース中で前記第１の制御データと前記第２の制御データとを通信するために前記第１のデバイスと前記第２のデバイスとをグループ化すると決定するように構成されたデバイスグループ化コンポーネントをさらに備える、Ｃ２７に記載の装置。
[Ｃ２９]  前記エンハンスメントレイヤ中で前記第１のデバイスのための前記第１の制御データを変調することに少なくとも部分的に基づいて決定されたリソース中で、前記第１のデバイスからアップリンク制御データを受信するように構成された制御データ受信コンポーネントをさらに備える、Ｃ２６に記載の装置。
[Ｃ３０]  前記送信コンポーネントが、前記エンハンスメントレイヤ中で前記第１のデバイスのための前記第１の制御データを変調することに少なくとも部分的に基づいて定義されたサーチスペース中で、前記第１の制御データを送信するようにさらに構成された、Ｃ２６に記載の装置。
【図１】
0006768519.tif 000002
【図２】
0006768519.tif 000003
【図３】
0006768519.tif 000004
【図４Ａ】
0006768519.tif 000005
【図４Ｂ】
0006768519.tif 000006
【図５】
0006768519.tif 000007
【図６】
0006768519.tif 000008
【図７】
0006768519.tif 000009
【図８】
0006768519.tif 000010